(57)【要約】【課題】いわゆるＬ字状ライン取手を備えた収納扉に簡便な作業で着脱可能に装着できるとともに、強固に固定可能な収納扉用タオルハンガーを提供する。【解決手段】収納扉の扉本体の上方側に位置する下面壁と、下面壁の後端側から少なくとも上方に延びる後面壁と、下面壁の前端側から少なくとも上方に延びる持ち手部とを有するレール状のライン取手に装着される収納扉用タオルハンガーであって、固定部は、持ち手部の上方に位置する基部の前方側にて掛止部を固定する前面側基部と、基部から下面壁側に向けて突出する取付部とを有してなり、固定補助部材は、取付部を挿入可能とする第１挿入部と、取付部より外形の小さい第２挿入部とを連続して形成してなり、固定補助部材をライン取手の長手方向に摺動させることで、取付部を介して固定補助部材を弾性変形により膨出させ、ライン取手に対して押圧して固定することを特徴とする収納扉用タオルハンガー。【選択図】  図１
2015008783.tif 000002
【特許請求の範囲】
【請求項１】
収納扉の扉本体の上方側に位置する下面壁と、下面壁の後端側から少なくとも上方に延びる後面壁と、下面壁の前端側から少なくとも上方に延びる持ち手部とを有するレール状のライン取手に装着され、固定補助部材を介して前記ライン取手に固定される固定部と、前記固定部の前方側に延出されてタオルを掛止する掛止部とを備える収納扉用タオルハンガーであって、
前記固定部は、前記持ち手部の上方に位置する基部の前方側にて前記持ち手部の前面側で前記掛止部を固定する前面側基部と、前記基部から前記下面壁側に向けて突出する取付部とを有してなり、
前記固定補助部材は、前記取付部を挿入可能とする第１挿入部と、前記取付部より外形の小さい第２挿入部とを連続して形成してなり、
前記固定補助部材を前記ライン取手の長手方向に摺動させることで、前記取付部を介して前記固定補助部材を弾性変形により膨出させ、前記固定補助部材又は、前記固定補助部材及び前記基部の少なくとも一部にて、前記持ち手部と前記後面壁を押圧して固定することを特徴とする収納扉用タオルハンガー。
【請求項２】
収納扉の扉本体の上方側に位置する下面壁と、下面壁の後端側から少なくとも上方に延びる後面壁と、下面壁の前端側から少なくとも上方に延びる持ち手部とを有するレール状のライン取手に装着され、固定補助部材を介して前記ライン取手に固定される固定部と、前記固定部の前方側に延出されてタオルを掛止する掛止部とを備える収納扉用タオルハンガーであって、
前記固定部は、前記持ち手部の上方に位置する基部の前方側にて前記持ち手部の前面側で前記掛止部を固定する前面側基部と、前記基部から前記下面壁側に向けて突出する取付部とを有してなり、
前記固定補助部材は、前記取付部を挿入可能とする第１挿入部と、前記取付部より外形の小さい第２挿入部とを連続して形成してなり、
前記固定補助部材を前記ライン取手の長手方向に摺動させることで、前記取付部を介して前記固定補助部材を弾性変形により膨出させて前記持ち手部の後面側を押圧するとともに、前記前面側基部が前記持ち手部の前面側又は前記扉本体を押圧することで固定することを特徴とする収納扉用タオルハンガー。
【請求項３】
前記基部又は前記固定補助部材に前記下面壁を支持する支持片が形成される請求項１又は請求項２に記載の収納扉用タオルハンガー。
【請求項４】
前記前面側基部に前記扉本体と当接する当接部が形成される請求項１から請求項３のいずれか１項に記載の収納扉用タオルハンガー。
【請求項５】
前記前面側基部の後面側は、前記持ち手部の形状に沿うように形成される請求項１から請求項４のいずれか１項に記載の収納扉用タオルハンガー。
【請求項６】
前記固定補助部材の側面に前記ライン取手と当接する突状部が形成される請求項１から請求項５のいずれか１項に記載の収納扉用タオルハンガー。
【発明の詳細な説明】
【技術分野】
【０００１】
本発明は、収納扉に設けられたレール型のライン取手に装着される収納扉用タオルハンガーに関するものである。
【背景技術】
【０００２】
キッチンキャビネットや、洗面台等には、通常、引出や開き戸の収納スペースが設けられている。そして、その引出を出し入れしたり、開き戸を開閉するための取手が収納扉に設けられている。
【０００３】
この取手の形状や構造は様々なものが存在し、例えば、コ字状の金具を引出等の収納扉（前板）に取り付けた構造は古くから存在する。また、近年では、安全性等も考慮された斬新なデザインの取手として、収納扉の扉本体の上端部に、扉本体の幅と略同一の幅を有する構造のものが種々存在する。このような取手は、キッチン等の全体を観察した際に、横方向の複数の引出等に連続するライン状模様として観察されることからライン取手と呼ばれている。
【０００４】
ところで、キッチンや洗面台等では水を取り扱うため、タオルが頻繁に使用される。前述したコ字状の金具が収納扉に取り付けられている場合は、コ字状の金具にタオルを掛けることが可能であるが、ライン取手の場合、通常タオルを掛ける構造にはなっておらず、何らかのタオル掛けを取り付ける必要があった。
【０００５】
上記問題を解決するものとして、例えば、ライン取手に装着するタオル掛けが知られている。このタオル掛けは、ライン取手に着脱自在に取り付けられる左右一対の固定部と、左右一対の固定部に、先端側が回動可能に、基端部がそれぞれ支持された左右一対のアーム部材と、左右一対のアーム部材の先端部に支持された掛止部と、掛止部が前記ライン取手の上側に位置すると共に平面的に収納家具の前面から離反した状態で、アーム部材を位置決めする位置決め機構とを備えているものである（例えば、特許文献１）。
【０００６】
これにより、ライン取手に着脱自在に取り付けられる左右一対の固定部に、掛止部を支持しているアーム部材が回動可能に支持されているので、ライン取手に取り付けても取手として使用されにくく、破損のおそれが少なくなると共に、左右一対のアーム部材を、位置決め機構によって、掛止部がライン取手の上側に位置する状態で位置決めすることができるようになっているので、タオルを掛ける際は、アーム部材を、掛止部がライン取手の上側に位置する状態で位置決めすることによって、掛けたタオルが手元により近くなって、使い勝手がよいとされるものである。
【先行技術文献】
【特許文献】
【０００７】
【特許文献１】特開２０１１−２２９７４２号公報
【発明の概要】
【発明が解決しようとする課題】
【０００８】
しかしながら、上記構造のタオル掛けは、種々あるライン取手を備えた収納扉のなかでも、収納扉の扉本体の上方側に位置する下面壁と、下面壁の後端側から上方に延びる後面壁と、下面壁の前端側から上方に延びる持ち手部と、を有するレール状のライン取手（いわゆるＬ字状ライン取手）を備えた収納扉に装着することができないものであった。
【０００９】
そこで、本発明はこの問題点を解決すべく、いわゆるＬ字状ライン取手を備えた収納扉に簡便な作業で着脱可能に装着できるとともに、強固に固定可能な収納扉用タオルハンガーを提供することを課題とする。
【課題を解決するための手段】
【００１０】
前記問題点を解決するために、本発明の請求項１に記載の収納扉用タオルハンガーは、収納扉の扉本体の上方側に位置する下面壁と、下面壁の後端側から少なくとも上方に延びる後面壁と、下面壁の前端側から少なくとも上方に延びる持ち手部とを有するレール状のライン取手に装着され、固定補助部材を介して前記ライン取手に固定される固定部と、前記固定部の前方側に延出されてタオルを掛止する掛止部とを備え、前記固定部は、前記持ち手部の上方に位置する基部の前方側にて前記持ち手部の前面側で前記掛止部を固定する前面側基部と、前記基部から前記下面壁側に向けて突出する取付部とを有してなり、前記固定補助部材は、前記取付部を挿入可能とする第１挿入部と、前記取付部より外形の小さい第２挿入部とを連続して形成してなり、前記固定補助部材を前記ライン取手の長手方向に摺動させることで、前記取付部を介して前記固定補助部材を弾性変形により膨出させ、前記固定補助部材又は、前記固定補助部材及び前記基部の少なくとも一部にて、前記持ち手部と前記後面壁を押圧して固定するものである。
【００１１】
また、本発明の請求項２に記載の収納扉用タオルハンガーは、収納扉の扉本体の上方側に位置する下面壁と、下面壁の後端側から少なくとも上方に延びる後面壁と、下面壁の前端側から少なくとも上方に延びる持ち手部とを有するレール状のライン取手に装着され、固定補助部材を介して前記ライン取手に固定される固定部と、前記固定部の前方側に延出されてタオルを掛止する掛止部とを備え、前記固定部は、前記持ち手部の上方に位置する基部の前方側にて前記持ち手部の前面側で前記掛止部を固定する前面側基部と、前記基部から前記下面壁側に向けて突出する取付部とを有してなり、前記固定補助部材は、前記取付部を挿入可能とする第１挿入部と、前記取付部より外形の小さい第２挿入部とを連続して形成してなり、前記固定補助部材を前記ライン取手の長手方向に摺動させることで、前記取付部を介して前記固定補助部材を弾性変形により膨出させて前記持ち手部の後面側を押圧するとともに、前記前面側基部が前記持ち手部の前面側又は前記扉本体を押圧することで固定するものである。
【００１２】
また、本発明の請求項３に記載の収納扉用タオルハンガーは、請求項１又は請求項２に記載の収納扉用タオルハンガーにおいて、前記基部又は前記固定補助部材に前記下面壁を支持する支持片が形成されるものである。
【００１３】
また、本発明の請求項４に記載の収納扉用タオルハンガーは、請求項１から請求項３のいずれか１項に記載の収納扉用タオルハンガーにおいて、前記前面側基部に前記扉本体と当接する当接部が形成されるものである。
【００１４】
また、本発明の請求項５に記載の収納扉用タオルハンガーは、請求項１から請求項４のいずれか１項に記載の収納扉用タオルハンガーにおいて、前記前面側基部の後面側は、前記持ち手部の形状に沿うように形成されるものである。
【００１５】
また、本発明の請求項６に記載の収納扉用タオルハンガーは、請求項１から請求項５のいずれか１項に記載の収納扉用タオルハンガーにおいて、前記固定補助部材の側面に前記ライン取手と当接する突状部が形成されるものである。
【発明の効果】
【００１６】
本発明の収納扉用タオルハンガーでは、固定補助部材をライン取手の長手方向に摺動させることで、取付部を介して固定補助部材を弾性変形により膨出させ、ライン取手に対して押圧して固定することができる。これにより、固定補助部材を摺動させるという簡便な作業のみで、着脱可能に装着することができるとともに、強固に固定することができる。
【００１７】
また、固定部における基部の一部を後面壁に当接させ、前面側基部を扉本体に当接させる構造としたことから、掛止箇所を中心として上下方向へ回動作用するモーメントを当接箇所により分散させ、掛止箇所の耐久性を向上させることができる。
【図面の簡単な説明】
【００１８】
【図１】本発明の実施例１における収納扉用タオルハンガーを収納扉に設置した状態斜視図である。
【図２】本発明の実施例１における収納扉用タオルハンガーの分解斜視図である。
【図３】本発明の実施例１における収納扉用タオルハンガーの図１のＡ−Ａ拡大断面図である。
【図４】本発明の実施例１における収納扉用タオルハンガーの固定補助部材の斜視図である。
【図５】本発明の実施例２における収納扉用タオルハンガーを収納扉に設置した際の拡大縦断面図である。
【図６】本発明の実施例３における収納扉用タオルハンガーを収納扉に設置した際の拡大縦断面図である。
【図７】本発明の実施例３における別仕様の収納扉用タオルハンガーを収納扉に設置した状態斜視図である。
【図８】本発明の実施例３における別仕様の収納扉用タオルハンガーの分解斜視図である。
【図９】本発明の実施例３における別仕様の収納扉用タオルハンガーの図７のＡ−Ａ拡大断面図である。
【図１０】本発明の実施例４における収納扉用タオルハンガーを収納扉に設置した際の拡大縦断面図である。
【発明を実施するための形態】
【００１９】
以下、本発明の実施の形態における収納扉用タオルハンガーを図面に従って説明する。当該収納扉用タオルハンガーが収納扉に設置された状態において、天井側を上方とし、床面側を下方とする。また、タオルが掛けられる側を前方とし、収納スペース側を後方とし、掛けられるタオルの幅方向を左右方向とする。
【００２０】
当該収納扉５０は、図１及び図３に示すようにして、収納スペースを覆う扉本体５１と、扉本体５１の上端に設置され、取手となるライン取手５２とから構成される。また、ライン取手５２は、扉本体５１の上端に位置する下面壁５３と、下面壁の５３の前方端部から少なくとも上方へと延設される持ち手部５４と、下面壁５３の後方端部から少なくとも上方へと延設される後面壁５５とを有してなり、略Ｌ字状に形成される。
【００２１】
当該ライン取手５２は、例えばアルミニウム等の金属部材から形成されたものであってもよいし、木製等の収納扉５０の上方側を刳り抜いてライン取手５２を形成してもよいものである。すなわち、扉本体５１とライン取手５２とを一体に形成したものを含む趣旨である。また、下面壁５３が湾曲した略Ｊ字状のライン取手５２も当然に含むものである。
【００２２】
このようなライン取手５２において、固定補助部材を介してライン取手に固定される固定部と、固定部の前方側に延出されてタオルを掛止する掛止部とを備える収納扉用タオルハンガーであって、固定部は、持ち手部の上方に位置する基部の前方側にて持ち手部の前面側で掛止部を固定する前面側基部と、基部から下面壁側に向けて突出する取付部とを有してなり、固定補助部材は、取付部を挿入可能とする第１挿入部と、取付部より外形の小さい第２挿入部とを連続して形成してなり、固定補助部材をライン取手の長手方向に摺動させることで、取付部を介して固定補助部材を弾性変形により膨出させ、ライン取手に対して押圧して固定するものである。
【実施例１】
【００２３】
本発明に係る収納扉用タオルハンガーＨは、図１から図３に示すように、ライン取手５２に固定される固定部１０と、固定部１０の前方側に延出されてタオル（図示しない）が掛けられる掛止部２０と、ライン取手５２に対して固定部１０を固定する固定補助部材３０とから構成される。
【００２４】
固定部１０は、ライン取手５２に着脱可能に固定されるとともに、掛止部２０を固定するものであり、本実施例においては、例えばアルミニウムから構成される。当該固定部１０は、ライン取手５２の下面壁５３、持ち手部５４及び後面壁５５によって形成される収容空間５６内、又はその上方に配置され、固定補助部材３０を介して収容空間５６内から持ち手部５４及び後面壁５５を押圧する力、すなわち外側方向に作用する押圧力を利用して固定されるものである。
【００２５】
固定部１０は、収納扉用タオルハンガーＨを収納扉５０に設置させた状態において、持ち手部５４の上方に位置する基部１１と、基部１１の前方側から延設されて、持ち手部５４の前方側で下方に延びる前面側基部１２と、基部１１の下面にて固定補助部材３０を固定する取付部１３とを備えてなる。
【００２６】
基部１１は、下面壁５３の一部及び持ち手部５４の上方を覆うように形成され、例えば略四角形状に形成される。また、基部１１の下面には、後述する取付部材４０との係合手段となる雌ネジ等が内部に形成された取付部１３が固定される。当該取付部１３は、先端部を基部１１内に埋設するように設けてもよいし、基部１１に対して一体に成形してもよいものである。また、基部１１の肉厚は、取付部１３及び取付部材４０の係合部の寸法によってその強度を考慮して適宜の厚みとすることができる。
【００２７】
前面側基部１２は、基部１１から延設されて、持ち手部５４の前方側で下方に延びてなり、外観上の美観を向上させる為に持ち手部５４を覆うようにして形成されることが望ましいものである。
【００２８】
また、当該前面側基部１２の後方側には、持ち手部５４の形状に沿うように膨出部１４を形成することもできるし、当該膨出部１４は持ち手部５４に当接するように形成することもできる。更に、膨出部１４から下方にかけては、扉本体５１と当接するよう折曲される当接部１５が形成される。これにより、掛止部２０に掛けられるタオルの荷重により掛止箇所を中心として下方へ回動作用するモーメントを持ち手部５４、扉本体５１に当接させることにより収納扉５０側へ分散させ、掛止箇所の耐久性を向上させることができる。
【００２９】
更に、前面側基部１２の左右側には、図２に示すように、掛止部２０をネジ等で取り付ける為の取付孔１６が複数箇所形成される。また、掛止部２０を接着等の固着手段により設置することで十分な強度を確保できる際には、取付孔１６を設けることなく、膨出部１４及び当接部１５と対向する前面側基部１２の前方側に掛止部２０を設置することもできる。
【００３０】
掛止部２０は、両端部に固定部１０が設置されるとともに、固定部１０の前方側に延出されてタオルが掛けられるものである。本実施例においては、掛止部２０は、例えばアルミニウムから構成され、直線部の両端部を湾曲させた形状とされるが、美観を向上させる観点から直線部に換えて波型状とすることもできるし、これに限られるものではない。
【００３１】
固定補助部材３０は、固定部１０に摺動可能に設置され、これにより固定部１０をライン取手５２に固定するものである。当該固定補助部材３０は、図２から図４に示すように、少なくとも挿入部３３を有する嵌合体３１から構成され、例えば合成樹脂、合成ゴム等の弾性変形可能な部材で形成される。
【００３２】
具体的には、固定部１０をライン取手５２に設置した状態において、固定補助部材３０は収容空間５６内における持ち手部５４と後面壁５５との間隙であって、好ましくは雄ネジ等の取付部材４０を介して固定部１０の取付部１３に設置されることで、ライン取手５２の長手方向に沿って摺動可能とされる。よって、嵌合体３１は、当該間隙に収容し得る形状を備えてなり、例えば略四角形状に形成される。
【００３３】
また、基部１１の左右両端から露呈するようにして嵌合体３１の端部から折曲される把持部３２を形成することもできる。これにより、把持部３２を摘むことで、固定部１０に対する固定補助部材３０の摺動操作を容易に行うことができる。
【００３４】
更に、嵌合体３１には、取付部１３を挿入可能とする第１挿入部３４と、取付部１４の外形より小さい寸法の第２挿入部３５が連続することで構成される挿入部３３が形成される。
【００３５】
当該挿入部３３は、図４（ａ）に示すようにして、第１挿入部３４から嵌合体３１の左右方向に沿って第２挿入部３５を形成してもよいし、同図（ｂ）に示すように、第１挿入部３４から徐々に寸法を小さくした第２挿入部３５を形成してもよく、これに限られない。また、同図（ｃ）に示すようにして、第１挿入部３４が嵌合体３１の端部に位置するよう挿入部３３を形成してもよいものである。係る際には、把持部３２は挿入部３３の位置と対向する他端部にのみ設けられる。
【００３６】
換言すると、嵌合体３１に取付部１３を挿入可能とする第１挿入部３４と、固定補助部材３０を摺動させることで取付部１３によって押圧され弾性変形して外側方向に寸法が拡大される第２挿入部３５とが連続して形成されていればよい趣旨である。更に、挿入部３３は、嵌合体３１の前後方向に対して一端部側に形成することもできる。これにより、後述する実施例において、下面壁５３の幅が異なるライン取手５２であっても対応可能となる。
【００３７】
また、嵌合体３１における前後方向の側面の少なくともいずれか一方に突状部３６を設けることもできる。当該突状部３６は、左右方向に連続するものであっても、分断されるものであってもよいし、その形状においても特に制限されるものではない。これにより、持ち手部５４、後面壁５５への接触面積を増大させることができる。
【００３８】
このようにして構成される収納扉用タオルハンガーＨは、図１及び図３に示すように、次のようにして取り付けられる。まず、掛止部２０の両端部に固定部１０を夫々設置するとともに、各固定部１０の取付部１３に固定補助部材３０を設置する。具体的には、第１挿入部３４に取付部１３を挿入させるとともに、取付部材４０を介して摺動可能となるよう各固定部１０に装着する。図４（ｃ）に示すように、挿入部３３が嵌合体３１の端部に位置するよう形成される固定補助部材３０においては、予め取付部１３に装着しなくてもよいものである。
【００３９】
そして、固定部１０をライン取手５２に配置する。具体的には、固定部１０の前面側基部１２にて持ち手部５４を覆うとともに、当接部１５を扉本体５１に当接させた状態とする。
【００４０】
次に、固定部１０に対して固定補助部材３０をライン取手５２の長手方向に摺動させ、取付部１３を第１挿入部３４から第２挿入部３５の領域に配置させることで、取付部１３を第２挿入部３５へ圧入し、当該箇所の嵌合体３１を外側方向へ弾性変形させてその寸法を拡大させ、取付部１３と持ち手部５４、取付部１３と後面壁５５との間隙に圧入させる。
【００４１】
これにより、固定補助部材３０を介して収容空間５６内から持ち手部５４及び後面壁５５を押圧する力、すなわち外側方向に作用する押圧力を利用して固定部１０がライン取手５２に固定されるものである。
【００４２】
以上、説明した本発明に係る収納扉用タオルハンガーＨによれば、固定部１０に対して固定補助部材３０を摺動させるという簡便な作業のみで、固定部１０をライン取手５２に固定することができる。
【００４３】
また、固定部１０における前面側基部１２の当接部１５を扉本体５１に当接させる構造としたことから、掛止箇所を中心として下方へ回動作用するモーメントを当接箇所により分散させ、掛止箇所の耐久性を向上させることができる。
【実施例２】
【００４４】
本発明の実施例２に係る収納扉用タオルハンガーＨ１について、図５に基づいて説明する。本実施例２における収納扉用タオルハンガーＨ１は、実施例１における構造と略同様であるが、固定補助部材３０におけるライン取手５２への固定構造が実施例１と相違するものである。詳細につき、以下に固定部１０及び固定補助部材３０についてのみ説明する。
【００４５】
実施例２における固定部１０は、図５に示すように、基部１１から下面壁５３側へ下面側基部１１ａが延設して設けられる。当該下面側基部１１ａは、持ち手部５４との接触面積を増やす観点から、可能な範囲において持ち手部５４の後方側の形状に沿うよう形成することが望ましいものである。
【００４６】
また、下面側基部１１ａの下方側は、下面壁５３及び持ち手部５４に当接するようにして形成し、すなわち、両者の境界部に沿うような形状で形成することもできる。これにより、固定部１０の前方側において、ライン取手５２に対して位置決めが容易となる。このようにして、下面壁５３に対する位置決めとなる際の下面側基部１１ａは支持片とされる。
【００４７】
また、実施例２における固定補助部材３０は、収容空間５６内において、後面壁５５のみを押圧することから、実施例１における固定補助部材３０と比較してその形状は小さいものとなる。すなわち、下面側基部１１ａの形状を考慮した上で、収容空間５６内に収容し得る形状であればよい趣旨である。
【００４８】
このようにして構成される実施例２に係る収納扉用タオルハンガーＨ１は、実施例１と同様にして、固定部１０をライン取手５２に配置する。具体的には、固定部１０の前面側基部１２にて持ち手部５４を覆うとともに、下面側基部１１ａを持ち手部５４、又は下面壁５３及び持ち手部５４に当接させた状態とする。すなわち、基部１１の少なくとも一部を持ち手部５４に当接させた状態とする。この際、前面側基部１２と下面側基部１１ａとの間隙に持ち手部５４を配置させることから、持ち手部５４の形状に伴い、膨出部１４及び当接部１５は可能な範囲において設ければよいものである。
【００４９】
そして、固定部１０に対して固定補助部材３０をライン取手５２の長手方向に摺動させ、取付部１３を第１挿入部３４から第２挿入部３５の領域に配置させることで、取付部１３を第２挿入部３５へ圧入し、当該箇所の嵌合体３１を外側方向へ弾性変形させてその寸法を拡大させ、取付部１３と後面壁５５との間隙に圧入させる。
【００５０】
これにより、固定補助部材３０を介して収容空間５６内から後面壁５５を押圧する力と、前面側基部１２を介して収容空間５６内から持ち手部５４を押圧する力の双方、すなわち外側方向に作用する押圧力を利用して固定部１０がライン取手５２に固定されるものである。このようにして構成される実施例２に係る収納扉用タオルハンガーＨ１においても、実施例１と同様の効果を奏することができる。
【実施例３】
【００５１】
本発明の実施例３に係る収納扉用タオルハンガーＨ２について、図６から図９に基づいて説明する。本実施例３における収納扉用タオルハンガーＨ２は、実施例１及び実施例２における構造と略同様であるが、固定補助部材３０におけるライン取手５２への固定構造が実施例１及び実施例２と相違するものである。詳細につき、以下に固定部１０及び固定補助部材３０についてのみ説明する。
【００５２】
実施例３における固定部１０は、図６に示すように、基部１１が後方へ延設されるようにして形成され、後面壁５５に当接する後面側基部１１ｂが設けられる。当該後面側基部１１ｂは後面壁５５に当接すればよい趣旨であり、これに限られることなく、後面壁５５の前方側で上方又は下方に延設して形成することもできるし、図７から図９に示すように、上下方向に延設して形成することもできる。更には、後面側基部１１ｂは、後面壁５５との接地面積を増やす観点から、可能な範囲において後面壁５５の形状に沿うよう形成することが望ましいものである。具体的には、後面側基部１１ｂの形状を傾斜状に形成することもできる。
【００５３】
例えば、図９に示すように、後面側基部１１ｂの上方側は、後面壁５５の高さより低く形成されるとともに、後面壁５５に当接するようにして形成される。また、後面壁５５が後方側へ傾斜する際には、突部１１ｃを設けて当接させるようにすることもできる。これにより、掛止箇所を中心として上方へ回動作用するモーメントを後面壁５５に当接させることにより分散させ、掛止箇所の耐久性を向上させることができる。
【００５４】
また、同図に示すように、例えば、後面側基部１１ｂの下方側は、下面壁５３及び後面壁５５に当接するようにして形成し、すなわち、両者の境界部に沿うような形状で形成することもできる。これにより、固定部１０の後方側において、ライン取手５２に対して位置決めが容易となる。このようにして、下面壁５３に対する位置決めとなる際の後面側基部１１ｂは支持片とされる。
【００５５】
また、実施例３における固定補助部材３０は、収容空間５６内において、持ち手部５４のみを押圧することから、実施例１における固定補助部材３０と比較してその形状は小さいものとなる。すなわち、後面側基部１１ｂの形状を考慮した上で、収容空間５６内に収容し得る形状であればよい趣旨である。
【００５６】
このようにして構成される実施例３に係る収納扉用タオルハンガーＨ２は、実施例１及び実施例２と同様にして、固定部１０をライン取手５２に配置する。具体的には、固定部１０の前面側基部１２にて持ち手部５４を覆うとともに、当接部１５を扉本体５１に当接させた状態とし、後面側基部１１ｂを後面壁５５、又は下面壁５３及び後面壁５５に当接させた状態とする。すなわち、基部１１の少なくとも一部を後面壁５５に当接させた状態とする。
【００５７】
そして、固定部１０に対して固定補助部材３０をライン取手５２の長手方向に摺動させ、取付部１３を第１挿入部３４から第２挿入部３５の領域に配置させることで、取付部１３を第２挿入部３５へ圧入し、当該箇所の嵌合体３１を外側方向へ弾性変形させてその寸法を拡大させ、取付部１３と持ち手部５４との間隙に圧入させる。
【００５８】
これにより、固定補助部材３０を介して収容空間５６内から持ち手部５４を押圧する力と、後面側基部１１ｂを介して収容空間５６内から後面壁５５を押圧する力の双方、すなわち外側方向に作用する押圧力を利用して固定部１０がライン取手５２に固定されるものである。
【００５９】
このようにして構成される実施例３に係る収納扉用タオルハンガーＨ２においても、実施例１及び実施例２と同様の効果を奏することができる。また、固定部１０における後面側基部１１ｂを後面壁５５に当接させる構造としたことから、実施例１の効果と比較して、更に掛止箇所を中心として上方へ回動作用するモーメントを当接箇所により分散させ、掛止箇所の耐久性を向上させることができる。
【実施例４】
【００６０】
本発明の実施例４に係る収納扉用タオルハンガーＨ３について、図１０に基づいて説明する。本実施例４における収納扉用タオルハンガーＨ３は、実施例１から実施例３における構造と略同様であるが、固定補助部材３０におけるライン取手５２への固定構造が実施例１から実施例３と相違するものである。詳細につき、以下に固定部１０と固定補助部材３０についてのみ説明する。
【００６１】
実施例４における固定部１０は、図１０に示すように、実施例１における固定部１０と略同様の形状からなる。また、実施例４における固定補助部材３０は、収容空間５６内において、持ち手部５４のみを押圧することから、実施例１における固定補助部材３０と比較して小さいものとなる。
【００６２】
このようにして構成される実施例４に係る収納扉用タオルハンガーＨ３は、実施例１から実施例３と同様にして、固定部１０をライン取手５２に配置する。具体的には、固定部１０の前面側基部１２にて持ち手部５４を覆い、持ち手部５４の前面側に当接させるとともに、当接部１５を扉本体５１に当接させた状態とする。
【００６３】
そして、固定部１０に対して固定補助部材３０をライン取手５２の長手方向に摺動させ、取付部１３を第１挿入部３４から第２挿入部３５の領域に配置させることで、取付部１３を第２挿入部３５へ圧入し、当該箇所の嵌合体３１を外側方向へ弾性変形させてその寸法を拡大させ、取付部１３と持ち手部５４の後面側との間隙に圧入させる。
【００６４】
これにより、固定補助部材３０を介して収容空間５６内から持ち手部５４を押圧する力、すなわち外側方向に作用する押圧力を利用することで持ち手部５４が固定補助部材３０と少なくとも前面側基部１２により挟持され、固定部１０がライン取手５２に固定されるものである。
【００６５】
このようにして構成される実施例４に係る収納扉用タオルハンガーＨ３においても、実施例１から実施例３と同様の効果を奏することができる。また、固定部１０における前面側基部１２の当接部１５を扉本体５１に当接させる構造としたことから、掛止箇所を中心として下方へ回動作用するモーメントを当接箇所により分散させ、掛止箇所の耐久性を向上させることができる。
【００６６】
当該発明は、上述の実施形態の構成に限定されるものではなく、基部１１、前面側基部１２、基部の一部とされる下面側基部１１ａ、後面側基部１１ｂ及び固定補助部材３０の形状、寸法、材質等を適宜変更して実施することが可能である。例えば、実施例１及び実施例２において、実施例３と同様にして上方への回動防止の為、基部１１の一部を後面壁５５に当接させてもよいものである。
【００６７】
また、実施例１及び実施例４において、実施例２及び実施例３と同様にして、下面壁５３を支持する支持片を基部１１の適宜箇所に設けてもよいものである。更には、実施例１から実施例４において、当該支持片を基部１１に換えて固定補助部材３０に設けてもよいものである。
【００６８】
また、その他、一部構成を省略することができるし、一部抽出した構成とすることができるのは勿論である。
【符号の説明】
【００６９】
Ｈ、Ｈ１、Ｈ２、Ｈ３  収納扉用タオルハンガー
１０    固定部
１１    基部
１２    前面側基部
１３    取付部
１４    膨出部
１５    当接部
１６    取付孔
２０    掛止部
３０    固定補助部材
３１    嵌合体
３２    把持部
３３    挿入部
３４    第１挿入部
３５    第２挿入部
４０    取付部材
５０    収納扉
５１    扉本体
５２    ライン取手
５３    下面壁
５４    持ち手部
５５    後面壁
５６    収容空間
【図１】
2015008783.tif 000003
【図２】
2015008783.tif 000004
【図３】
2015008783.tif 000005
【図４】
2015008783.tif 000006
【図５】
2015008783.tif 000007
【図６】
2015008783.tif 000008
【図７】
2015008783.tif 000009
【図８】
2015008783.tif 000010
【図９】
2015008783.tif 000011
【図１０】
2015008783.tif 000012